(57)【要約】【課題】バックライトユニットに液晶表示パネルを取り付ける工程で、異物等をバックライトユニットや液晶表示パネルに付着させない液晶表示装置、およびその製造方法を提供する。【解決手段】液晶表示パネル６１の受光側とバックライトユニット６２の発光側とが近づくことで、バックライトユニット６２に液晶表示パネル６１が取り付けられると、バックライトユニット６２の発光側と液晶表示パネル６１の受光側とが向かい合うことで、隙間が発生する。そして、この隙間に接するバックライトユニット６２の発光側は、発光ユニット保護シート４１によって保護される。一方、かかる隙間に接する液晶表示パネル６１の受光側は、裏側偏光板保護シート１４ａによって保護される。【選択図】図１
2009003245.tif 000002
【特許請求の範囲】
【請求項１】
バックライトユニットの発光側と、上記バックライトユニットからの光を受光する液  晶表示パネルの受光側とを近づけることで、バックライトユニットに液晶表示パネルを  取り付ける取付工程と、
上記取付工程後、上記バックライトユニットの発光側と上記液晶表示パネルの受光側
との向かい合った隙間に接するバックライトユニットの発光側を保護する発光側保護部
材と液晶表示パネルの受光側を保護する受光側保護部材とを、バックライトユニットと
液晶表示パネルとから乖離させる保護部材乖離工程と、
を含む液晶表示装置の製造方法。
【請求項２】
上記の保護部材乖離工程では、
上記の発光側保護部材および受光側保護部材が、上記バックライトユニットおよび上記液晶表示パネルから、同時に乖離されている請求項１に記載の液晶表示装置の製造方法。
【請求項３】
バックライトユニットの発光側と、上記バックライトユニットからの光を受光する液晶表示パネルの受光側とを近づけることで、バックライトユニットに液晶表示パネルを取り付けている液晶表示装置にあって、
上記バックライトユニットの発光側と上記液晶表示パネルの受光側とが向かい合うことで、隙間が生じており、
上記隙間に接するバックライトユニットの発光側は、発光側保護部材によって保護されており、
上記隙間に接する液晶表示パネルの受光側は、受光側保護部材によって保護されており、
上記バックライトユニットのフレームには、上記の発光側保護部材および受光側保護部材の一部を外部に突出させる開孔が形成されている液晶表示装置。
【請求項４】
上記発光側保護部材の縁の一部は、ジグザグ状であり、
そのジグザグ状の部分が、粘着材を介して、上記バックライトユニットのフレームに仮止めされている請求項３に記載の液晶表示装置。
【請求項５】
上記粘着材の粘着力は、０．００１Ｎ/ｃｍ以上で、かつ１０Ｎ/ｃｍ以下である請求項４に記載の液晶表示装置。
【請求項６】
上記発光側保護部材での上記ジグザグ状の部分から最も離れた部分が、上記バックライトユニットにおけるフレームの開孔から外部に突出している請求項４または５に記載の液晶表示装置。
【請求項７】
上記受光側保護部材は曲がっており、
曲がる部分を境に、一方側の受光側保護部材の一部が、上記液晶表示パネルの受光側に密着することで仮止めされ、
他方側の受光側保護部材の一部が、上記バックライトユニットにおけるフレームの開孔から外部に突出している請求項３〜６のいずれか１項に記載の液晶表示装置。
【請求項８】
上記受光側保護部材の第１方向の長さは、上記受光側保護部材の密着する第１偏光部材における第１方向の長さよりも短く、
受光側保護部材の第２方向の長さは、上記第１偏光部材の第２方向の長さよりも長い請求項７に記載の液晶表示装置。
【請求項９】
上記の受光側保護部材の第１方向の長さは、上記第１偏光部材の第１方向の長さより、１ｍｍ以上短い請求項８に記載の液晶表示装置。
【請求項１０】
上記の受光側保護部材の第２方向の長さは、上記第１偏光部材の第２方向の長さより、２倍以上長い請求項８または９に記載の液晶表示装置。
【請求項１１】
上記の発光側保護部材および受光側保護部材が、上記開孔を通じて、上記バックライトユニットおよび上記液晶表示パネルから乖離されており、
上記開孔が、封止部材にて塞がれている請求項３〜１０のいずれか１項に記載の液晶表示装置。
【発明の詳細な説明】
【技術分野】
【０００１】
本発明は、光を発するバックライトユニットとバックライトユニットからの光を受光して機能する液晶表示パネルとを含む液晶表示装置、および、かかる液晶表示装置の製造方法に関するものである。
【背景技術】
【０００２】
通常、液晶を用いた表示パネル（液晶表示パネル）では、液晶自体が自ら発光しない。そのため、液晶表示装置は、太陽光等を外部光として取り込み、その外部光を利用して液晶表示パネルに種々の画像を表示させている。そのため、液晶表示装置は、外部光を取り込めない場合を想定し、液晶表示パネルを照射する照射装置（バックライトユニット）を有している。
【０００３】
そして、液晶表示装置は、液晶表示パネルをバックライトユニットからの光（バックライト光）を受光可能なまでに近づけることで完成している。このような液晶表示装置の製造過程では、以下のような問題が生じる。
【０００４】
その問題とは、液晶表示パネルまたはバックライトユニットに、塵や埃等の異物が付着したり、傷や打痕が付いたりすることである。なぜなら、このような異物や傷等に起因して、液晶表示パネル上の表示画像に、周囲画素に比べて明るい画素（輝点）および周囲画素に比べて暗い画素（黒点）等が生じる。
【０００５】
そこで、図１４の分解斜視図に示すように、液晶表示パネル１６１は、アクティブマトリックス基板１１１および対向基板１１２を挟持する偏光板１１３ａ・１１３ｂを被覆する偏光板保護シート１１４ａ・１１４ｂを含む。このようになっていると、偏光板保護シート１１４ａ・１１４ｂが、外部に面する偏光板１１３ａ・１１３ｂ（ひいては、液晶表示パネル１６１）を保護する。
【０００６】
また、図１５の分解斜視図に示すように、バックライトユニット１６２は、自身と液晶表示パネル１６１とをつなげる枠状の両面固定テープ１４３を、バックライトフレーム１３１に取り付けている（なお、固定テープ１４３のみ、便宜上、ハッチングを施す）。
【０００７】
ただし、バックライトユニット１６２は、固定テープ１４３の枠内に位置する発光ユニット１２９を保護すべく、固定テープ１４３の一方の面と枠内とを覆うような剥離シール１４４を含む。このようになっていると、剥離シール１４４が、固定テープ１４３から剥がれるまでの間、発光ユニット１２９を保護する（なお、発光ユニット１２９とは、光源からの光を面状光に変換するユニットである）。
【０００８】
要は、図１６に示すように、固定テープ１４３でバックライトユニット１６２と液晶表示パネル１６１とがつなげられる直前まで、偏光板保護シート１１４ａ・１１４ｂが、偏光板１１３ａ・１１３ｂを保護し、剥離シール１４４が、固定テープ１４３から剥がれるまでの間、発光ユニット１２９を保護する。
【０００９】
また、特許文献１のような液晶表示装置は、異物の原因の１つである樹脂材をバックライトフレームに用いないようにしている（要は、金属でバックライトフレームを形成する）。このようになっていると、液晶表示装置の製造過程で、異物が液晶表示パネルおよびバックライトユニットに付着しにくくなる。
【特許文献１】特開２００１−３３０８１７号公報
【発明の開示】
【発明が解決しようとする課題】
【００１０】
しかしながら、図１４〜図１６を用いて説明した液晶表示装置１６９では、完成までに、バックライトユニット１６２側に面する偏光板保護シート１１４ａが、液晶表示パネル１６１から外され、剥離シール１４４もバックライトユニット１６２から外される（図１７参照）。
【００１１】
そして、外部に露出した偏光板１１３ａを含む液晶表示パネル１６１と、同じく外部に露出した発光ユニット１２９を含むバックライトユニット１６２とが、近づき合ってつながることで、液晶表示装置１６９は完成する（図１７および図１８参照）。
【００１２】
このようになっていると、バックライトユニット１６２に液晶表示パネル１６１が取り付けられる場合（取付工程の場合）に、異物等が偏光板１１３ａおよび発光ユニット１２９に付着しかねない。つまり、液晶表示パネル１６１およびバックライトユニット１６２を単体として取り扱う場合にあっては、偏光板保護シート１１４ａおよび剥離シール１４４によって、偏光板１１３ａおよび発光ユニット１２９は保護されるものの、取付工程では、それらは保護されない。
【００１３】
そして、このような取付工程で、異物等が液晶表示パネル１６１の偏光板１１３ａやバックライトユニット１６２の発光ユニット１２９に付着するおそれは、特許文献１の液晶表示装置であっても生じる。
【００１４】
本発明は、上記の状況を鑑みてなされたものである。そして、本発明の目的は、液晶表示装置の製造過程、特に、バックライトユニットに液晶表示パネルを取り付ける工程で、異物等をバックライトユニットや液晶表示パネルに付着させない液晶表示装置、およびその製造方法を提供することにある。
【課題を解決するための手段】
【００１５】
液晶表示装置の製造方法では、バックライトユニットの発光側と、そのバックライトユニットからの光を受光する液晶表示パネルの受光側とを近づけることで、バックライトユニットに液晶表示パネルを取り付ける取付工程と、この取付工程後、バックライトユニットの発光側と液晶表示パネルの受光側との向かい合った隙間に接するバックライトユニットの発光側を保護する発光側保護部材と液晶表示パネルの受光側を保護する受光側保護部材とを、バックライトユニットと液晶表示パネルとから乖離させる保護部材乖離工程と、を含む。
【００１６】
このようになっていると、取付工程直後（保護部材乖離工程直前）、液晶表示装置の内部にて向かい合うバックライトユニットの発光側と液晶表示パネルの受光側とは、発光側保護部材と受光側保護部材とで保護される。そのため、バックライトユニットに液晶表示パネルを取り付ける工程において、バックライトユニット（特に発光側）と液晶表示パネル（特に受光側）とに、異物等が付着しない。
【００１７】
なお、保護部材乖離工程では、発光側保護部材および受光側保護部材が、バックライトユニットおよび液晶表示パネルから、同時に乖離されていると望ましい。
【００１８】
ところで、以上の製造方法に適した液晶表示装置は、以下のようなものである。すなわち、バックライトユニットの発光側と、そのバックライトユニットからの光を受光する液晶表示パネルの受光側とを近づけることで、バックライトユニットに液晶表示パネルを取り付けている液晶表示装置である。
【００１９】
特に、この液晶表示装置では、バックライトユニットの発光側と液晶表示パネルの受光側とが向かい合うことで、隙間が生じている。そして、その隙間に接するバックライトユニットの発光側は、発光側保護部材によって保護されており、隙間に接する液晶表示パネルの受光側は、受光側保護部材によって保護されている。その上、バックライトユニットのフレームには、発光側保護部材および受光側保護部材の一部を外部に突出させる開孔が形成されている。
【００２０】
このようになっていると、バックライトユニットに液晶表示パネルが取り付けられた場合に、バックライトユニットの発光側と液晶表示パネルの受光側とが向かい合うことで生じる隙間に面する箇所、すなわち、隙間に接するバックライトユニットの発光側と液晶表示パネルの受光側とは、発光側保護部材と受光側保護部材とによって保護される。そのため、バックライトユニットに液晶表示パネルを取り付ける工程において、バックライトユニットと液晶表示パネルとに、異物等が付着しない。
【００２１】
その上、かかる発光側保護部材と受光側保護部材とは、バックライトフレームに形成された開孔を通じて、液晶表示装置から取り外しできる。すると、発光側保護部材と受光側保護部材とが液晶表示装置から取り除かれたとしても、バックライトユニットの発光側と液晶表示パネルの受光側とは、液晶表示装置内部に位置することになる。
【００２２】
つまり、バックライトユニットの発光側と液晶表示パネルの受光側とは、液晶表示装置の外部に面しない。そのため、発光側保護部材と受光側保護部材とが液晶表示装置から取り除かれたとしても、異物等がバックライトユニットと液晶表示パネルとに付着しにくい。
【００２３】
なお、発光側保護部材の縁の一部は、ジグザグ状であり、そのジグザグ状の部分が、粘着材を介して、バックライトユニットのフレームに仮止めされていると望ましい。
【００２４】
このようになっていると、粘着材と発光側保護部材との接触面積は比較的狭いので、発光側保護部材は容易に粘着材から乖離する。
【００２５】
また、このような乖離を実現させるに適した粘着材の粘着力は、例えば、０．００１Ｎ/ｃｍ以上で、かつ１０Ｎ/ｃｍ以下である。
【００２６】
また、発光側保護部材での上記ジグザグ状の部分から最も離れた部分が、バックライトユニットにおけるフレームの開孔から外部に突出していると望ましい。
【００２７】
このようになっていると、開孔から外部に突出する部分を引っ張れる力は、効率よくジグザグ状の部分に伝わる。そのため、発光側保護部材はより容易に粘着材から乖離する。
【００２８】
また、受光側保護部材は曲がっており、曲がる部分を境に、一方側の受光側保護部材の一部が、液晶表示パネルの受光側に密着することで仮止めされ、他方側の受光側保護部材の一部が、バックライトユニットにおけるフレームの開孔から外部に突出していると望ましい。
【００２９】
このようになっていると、受光側保護部材は、液晶表示パネルの受光側（第１偏光部材等）を保護しつつも、開孔を通じて液晶表示装置から除去可能になっている。
【００３０】
また、受光側保護部材の第１方向の長さは、受光側保護部材の密着する第１偏光部材の第１方向の長さよりも短く、受光側保護部材の第２方向の長さは、第１偏光部材の第２方向の長さよりも長いと望ましい。
【００３１】
このようになっていると、開孔を通じて受光側保護部材が液晶表示装置から除去されやすいためである。
【００３２】
なお、受光側保護部材の各方向の長さを詳説すると、受光側保護部材の第１方向の長さは、第１偏光部材の第１方向の長さより、１ｍｍ以上短いと望ましい。また、受光側保護部材の第２方向の長さは、第１偏光部材の第２方向の長さより、２倍以上長いと望ましい。
【００３３】
また、発光側保護部材および受光側保護部材が、開孔を通じて、バックライトユニットおよび液晶表示パネルから乖離されており、その開孔が封止部材にて塞がれていると望ましい。
【００３４】
このようになっていると、開孔から異物等が侵入しなくなる。つまり、異物等が、確実に、バックライトユニットおよび液晶表示パネルに付着しなくなる。
【発明の効果】
【００３５】
本発明によれば、バックライトユニットに対して液晶表示パネルを取り付けた後の液晶表示装置の内部にあって、バックライトユニットの発光側および液晶表示パネルの受光側が、取り外し可能な発光側保護部材および受光側保護部材にて保護される。そのため、バックライトユニットに液晶表示パネルを取り付ける工程において、バックライトユニットの発光側と液晶表示パネルの受光側とに、異物等が付着しない。
【発明を実施するための最良の形態】
【００３６】
［実施の形態１］
実施の一形態について、図面に基づいて説明すれば、以下の通りである。なお、図面によっては、便宜上、部材番号およびハッチングを省略する場合もあるが、かかる場合、他の図面を参照するものとする。逆に、断面図以外であっても、ハッチングを施す場合もある。また、図面上での黒丸は紙面に対し垂直方向を意味する。
【００３７】
図１に示すように、液晶表示装置６９は、液晶表示パネル６１と、この液晶表示パネル６１に光（バックライト光）を発するバックライトユニット６２と、を含んでいる。そして、バックライトユニット６２の発光側と、液晶表示パネル６１の受光側とが近づき合うことで、バックライトユニット６２に液晶表示パネル６１が取り付けられ、液晶表示装置６９は完成する。
【００３８】
図８〜図１０は、液晶表示装置に搭載される液晶表示パネル６１を示している。図８は液晶表示パネル６１の分解斜視図である。また、図９は液晶表示パネル６１の表示面側をみた平面と側面とを示す２面図であり、図１０は液晶表示パネル６１の非表示面側（バックライトユニット６２からの光を受光する面側）からみた平面と側面とを示す２面図である。なお、液晶表示パネル６１は、短手方向（第１方向Ｄ１）および長手方向（第２方向Ｄ２）を規定できるような形状、例えば、ほぼ矩形状である｛短手方向と長手方向とは交差（例えば直交）している｝。
【００３９】
図８〜図１０に示すように、液晶表示パネル６１は、アクティブマトリックス基板１１、対向基板１２、偏光板１３（裏側偏光板１３ａ、表側偏光板１３ｂ）、偏光板保護シート１４（裏側偏光板保護シート１４ａ・表側偏光板保護シート１４ｂ）、ＦＰＣ（Flexible Printed Circuit）１５、およびＬＳＩ（Large Scale Integration）１６を含む。
【００４０】
アクティブマトリックス基板１１は、液晶を制御するＴＦＴ（Thin Film Transistor）等のスイッチング素子や、ソースライン、ゲートライン、画素電極等を含む基板である。一方、対向基板１２は、アクティブマトリックス基板１１に対向して位置する基板であり、カラー表示に要するカラーフィルタ等を含む（なお、ＴＦＴ、カラーフィルタ等は不図示）。そして、これらの基板同士１１・１２が、シール部材（不図示）を介して貼り合わされ、これらの隙間に液晶（不図示）が注入される。
【００４１】
なお、両基板１１・１２では、アクティブマトリックス基板１１がバックライトユニット６２の発光側に面する基板（液晶表示パネル６１の受光側の基板）となる。また、対向基板１２は、アクティブマトリックス基板１１の一面の面積よりも狭面積であり、その一面に包含されるように貼り付けられる。
【００４２】
偏光板１３は、バックライトユニット６２から供給される光の振動を、特定方向に制限する。そして、裏側偏光板（第１偏光部材）１３ａは、バックライトユニット６２に面するアクティブマトリックス基板１１の一面（対向基板１２に貼り合った面１１ｓの裏面）に貼り付けられる。一方、表側偏光板（第２偏光部材）１３ｂは、対向基板１２の一面（アクティブマトリックス基板１１に貼り合った面の裏面）に貼り付けられる。
【００４３】
なお、裏側偏光板１３ａは、アクティブマトリックス基板１１の一面の面積よりも狭面積であり、その一面に包含されるように貼り付けられる。また、表側偏光板１３ｂは、対向基板１２の一面の面積よりも狭面積であり、その一面に包含されるように貼り付けられる。
【００４４】
保護シート１４は、偏光板１３を保護する。そして、裏側偏光板保護シート（受光側保護部材）１４ａは、バックライトユニット６２に面する裏側偏光板１３ａの一面（アクティブマトリックス基板１１に貼り合った面の裏面）に密着している。一方、表側偏光板保護シート１４ｂは、外部に向く表側偏光板１３ｂの一面（対向基板１２に貼り合った面の裏面）に密着している。
【００４５】
なお、裏側偏光板保護シート１４ａの短手方向の長さは、裏側偏光板１３ａの短手方向の長さよりも短い一方、裏側偏光板保護シートの長手方向の長さは裏側偏光板１３ａの長手方向の長さよりも長い。
【００４６】
詳説すると、裏側偏光板保護シート１４ａの短手方向の長さは、裏側偏光板１３ａの短手方向の長さより、１ｍｍ以上短い。また、裏側偏光板保護シート１４ａの長手方向の長さは、裏側偏光板１３ａの長手方向の長さより、２倍以上長い。
【００４７】
そして、裏側偏光板保護シート１４ａと裏側偏光板１３ａとの密着状態では、裏側偏光板保護シート１４ａの短手（幅）が裏側偏光板１３ａの短手（幅）に包含される一方、裏側偏光板保護シート１４ａの長手（奥行き）は裏側偏光板１３ａの長手（奥行き）より飛び出す。なお、かかるように飛び出している裏側偏光板保護シート１４ａの一部には、第１持ち手Ｈ１が形成されていると望ましい。
【００４８】
ＦＰＣ１５は可撓性を有する回路基板であり、ＬＳＩ１６はＴＦＴ等を制御する回路（ドライバー回路）である。そして、ＦＰＣ１５およびＬＳＩ１６は、対向基板１２に覆われていないアクティブマトリックス基板１１の一面（貼り合わせ面１１ｓの一部）に接続される。なお、ＦＰＣ１５は、一端のみを貼り合わせ面１１ｓに接続し、残り部分を貼り合わせ面１１ｓに重畳させない。また、ＬＳＩ１６は、貼り合わせ面１１ｓに包含されるように接続される。
【００４９】
そして、液晶表示パネル６１は、ＬＳＩ１６の制御の下、ＴＦＴで液晶への印加電圧を制御することで、かかる液晶を透過するバックライト光の透過率を変化させ、表示画像を調整する。
【００５０】
なお、以上の裏側偏光板保護シート１４ａ、裏側偏光板１３ａ、アクティブマトリックス基板１１、対向基板１２、表側偏光板１３ｂ、および表側偏光板保護シート１４ｂは、この順で積み重なる。そこで、この積み重なる方向を重なり方向Ｐと称する。
【００５１】
続いて、バックライトユニット６２について、図１１〜図１３を用いて説明する。図１１および図１２はバックライトユニット６２を示している。図１１はバックライトユニット６２の分解斜視図であり、図１２はバックライトユニット６２の発光側からみた平面、長手断面、および短手断面を示す３面図である（長手断面は平面のＡ−Ａ’線矢視断面であり、短手断面は平面のＢ−Ｂ’線矢視断面である）。また、図１３は、図１２での部分αの拡大平面図である。
【００５２】
なお、液晶表示パネル６１における短手方向（第１方向Ｄ１）および長手方向（第２方向Ｄ２）は、バックライトユニット６２における短手方向および長手方向と一致している。
【００５３】
図１１および図１２に示すように、バックライトユニット６２は、ＬＥＤ（Light Emitting Diode；不図示）、導光板２１、反射シート２２、拡散シート２３、光学シート２４、バックライトフレーム３１、発光ユニット保護シート４１、粘着シール（粘着材）４２、固定テープ４３、および剥離シール４４を含んでいる。
【００５４】
ＬＥＤ（光源、発光素子）は点状光源であり、導光板２１の側面に向けて光を出射する。また、光量確保のために、ＬＥＤは、複数で並列したアレイ状である。なお、バックライトユニット６２の光源としてはＬＥＤに限定されるものではなく、蛍光管等の他種の光源であってもよい。
【００５５】
導光板２１は、側面をＬＥＤの発光面に対向させることで、かかるＬＥＤからの光を受光する。そして、受光された光は、導光板２１の内部でミキシングされ、面状光として天面から出射する。
【００５６】
反射シート２２は、導光板２１によって覆われるように位置する。そして、導光板２１の底面に面する一面が反射面である。そのため、この反射面が、ＬＥＤからの光や導光板２１内部を伝搬する光を漏洩させることなく導光板２１に戻すように反射させる。
【００５７】
拡散シート２３は、導光板２１を覆うように位置し、導光板２１からの面状光を拡散させて、液晶表示パネル６１全域に光をいきわたらせる。
【００５８】
光学シート２４は、例えばシート面内にプリズム形状を有し、光の放射特性を偏向させるプリズムシートであり、拡散シート２３を覆うように位置する。そのため、この光学シート２４は、拡散シート２３から進行してくる光を集光させ、単位面積あたりの発光輝度を向上させる。
【００５９】
なお、以上のＬＥＤ、導光板２１、反射シート２２、拡散シート２３、および光学シート２４は、バックライト光を生成する主たる部材であることから、以降では発光ユニット２９と称する。
【００６０】
バックライトフレーム３１は、箱状部材であり、発光ユニット２９等を収容する。そして、バックライトフレーム３１の底から、反射シート２２、導光板２１、拡散シート２３、および光学シート２４が、この順で積み重なる。また、この積み重なる方向は、液晶表示パネル６１での重なり方向Ｐと一致している。
【００６１】
また、バックライトフレーム３１の内側面には、発光ユニット保護シート４１を支える第１段差部Ｇ１と、固定テープ４３を取り付ける第２段差部Ｇ２とが形成される。具体的には、バックライトフレーム３１の底面３２から開放面３３に至る方向（重なり方向Ｐと同方向）において、底面３１に近い側に第１段差部Ｇ１、開放面３３に近い側に第２段差部Ｇ２が形成されている（図１１の網点ハッチング参照）。
【００６２】
なお、第１段差部Ｇ１および第２段差部Ｇ２は、平面視で枠状になっている。詳説すると、重なり方向Ｐにおいて発光ユニット２９の高さ（積み重ね長）を超えるバックライトフレーム３１の内側面の部分が、発光ユニット２９の側面を囲むバックライトフレーム３１の内側面の部分よりも外側に向かうことで、枠状の第１段差部Ｇ１が発生する。
【００６３】
また、重なり方向Ｐにおいて第１段差部Ｇ１を超えるバックライトフレーム３１の内側面の部分が、第１段差部Ｇ１よりも外側に向かうことで、枠状の第２段差部Ｇ２が発生する。
【００６４】
その上、バックライトフレーム３１には、第１段差部Ｇ１に接する内側面の一部から外側面にむかって開孔ＨＬが形成されている。詳説すると、短手となるバックライトフレーム３１の側壁に、第１段差部Ｇ１につながる開孔ＨＬ（バックライトフレーム３１の内部と外部とつなげる開孔ＨＬ）が形成されている。
【００６５】
発光ユニット保護シート４１は、バックライトフレーム３１に収容される発光ユニット２９を保護する。そして、発光ユニット保護シート４１の短手は、枠状の第１段差部Ｇ１の短手よりも若干短い（ただし、第１段差部Ｇ１の枠内部の短手よりは長くなっている）。
【００６６】
一方、発光ユニット保護シート４１の長手は、枠状の第１段差部Ｇ１の長手よりも長くなっている。そのため、発光ユニット保護シート４１は、発光ユニット２９の天面（光学シート２４の一面）を被覆可能な面積を有する。
【００６７】
そして、発光ユニット保護シート４１は、第１段差部Ｇ１を覆うように位置するとともに、一部（具体的には短手）をバックライトフレーム３１の開孔ＨＬから突き出させる。なお、突き出る発光ユニット保護シート４１には、第２持ち手Ｈ２が形成されていてもよい。
【００６８】
一方、開孔ＨＬから突き出る発光ユニット保護シート４１の一端に対して対向する他端（すなわち、発光ユニット保護シート４１のもう一方の短手）は、切れ欠きを入れられることで、ジグザグ状（切欠形状）の端ＺＫになる。つまり、発光ユニット保護シート４１の縁の一部は、ジグザグ状（ジグザグ端ＺＫ）になる（図１３参照）。
【００６９】
粘着テープ４２は、０．００１（Ｎ/ｃｍ）以上で、かつ１０（Ｎ/ｃｍ）以下の粘着力Γ（微粘着力）を両面に有し、発光ユニット保護シート４１と第１段差部Ｇ１との間に介在する｛０．００１（Ｎ/ｃｍ）≦Γ≦１０（Ｎ/ｃｍ）｝。そのため、発光ユニット保護シート４１は、粘着テープ４２を介して、第１段差部Ｇ１に仮止めされる｛なお、１０（Ｎ/ｃｍ）以下の粘着力は仮止めに適している｝。
【００７０】
ただし、粘着テープ４２は、第１段差部Ｇ１の全てを覆うわけではなく、ジグザグ状の発光ユニット保護シート４１の一部（短手）に面する第１段差部Ｇ１の部分のみを覆う。すなわち、ジグザグ状の発光ユニット保護シート４１の一部（ジグザグ端ＺＫ）のみが、粘着テープ４２を介して、第１段差部Ｇ１に仮止めされる。
【００７１】
固定テープ４３は、両面に接着力を有し、バックライトユニット６２（具体的には、バックライトフレーム３１）と液晶表示パネル６１とをつなげる。詳説すると、固定テープ４３は、一方の面を第２段差部Ｇ２に接着し、他方の面を液晶表示パネル６１（例えば、アクティブマトリックス基板１１）に接着する。
【００７２】
なお、固定テープ４３の形状は、特に限定されるものではない。例えば、図１１に示すように、枠状の第２段差部Ｇ２と同形状の枠状の固定テープ４３であってもよいし、１本状の固定テープ４３が複数で、第２段差部Ｇ２の短手縁および長手縁の各々を覆っていてもよい。
【００７３】
剥離シール４４は、液晶表示パネル６１に面する固定テープ４３の一面（第２段差部Ｇ２に面する一面の裏面）を覆っている。そのため、固定テープ４３と液晶表示パネル６１とが接着する直前に、剥離シール４４は固定テープ４３から剥がされる。
【００７４】
なお、剥離シール４４は、枠状の固定テープ４３自体と枠内部とを被覆可能な形状（例えば、矩形状）である。そのため、この剥離シール４４は、固定テープ４３の接着面を保護するとともに、外部からの塵や埃を発光ユニット保護シート４１に到達させない。
【００７５】
また、この剥離シール４４には、第３持ち手Ｈ３が形成されていると望ましい。このようになっていると、固定テープ４３から容易に剥離シール４４を剥がせるためである。
【００７６】
なお、第２段差部Ｇ２に接着される固定テープ４３の一面（接着面）にも、保護用の剥離シールが取り付けられており、貼り付け前に剥がされる。ただし、かかる接着面の剥離シールの形状は、枠状の固定テープ４３自体と枠内部とを被覆可能な形状でなくてもよい。
【００７７】
ここで、以上の液晶表示パネル６１とバックライトユニット６２とを含む液晶表示装置６９の製造工程について、図１〜図７を用いて説明する。図１は、説明してきた液晶表示パネル６１とバックライトユニット６２とを示す斜視図である。
【００７８】
図１に示すように、液晶表示パネル６１は、バックライトユニット６２に対して最も近くに、裏側偏光板保護シート１４ａを配置し、この上に、重なり方向Ｐに沿って、裏側偏光板１３ａ、アクティブマトリックス基板１１、対向基板１２、表側偏光板１３ｂ、および表側偏光板保護シート１４ｂを、この順で積み重ねる。そして、液晶表示パネル６１は、長手方向に沿って、裏側偏光板保護シート１４ａの一端（第１持ち手Ｈ１）を、裏側偏光板１３ａの長手（ひいては、アクティブマトリックス基板１１の長手）より飛び出させる。
【００７９】
一方、バックライトユニット６２は、バックライトフレーム３１内に発光ユニット２９を収容する。そして、発光ユニット２９を覆うように、発光ユニット保護シート４１が位置する。また、この発光ユニット保護シート４１の一端は、バックライトフレーム３１の開孔ＨＬから突き出る。さらに、剥離シール４４が、発光ユニット保護シート４１を被覆するように位置する。
【００８０】
そして、図２に示すように、液晶表示パネル６１では、裏側偏光板保護シート１４ａが長手方向の中途点ＭＰを基準に折り曲がる。詳説すると、裏側偏光板保護シート１４ａは、第１持ち手Ｈ１側を、中途点ＭＰを基準に、裏側偏光板１３ａから離れるようにしつつ回転させて裏返す（矢印Ｕ参照）。
【００８１】
すると、曲がる部分（中途点ＭＰ）を境に、一方側の裏側偏光板保護シート１４ａの一部が密着することで、裏側偏光板１３ａに仮止めされることになり、他方の裏側偏光板保護シート１４ａの一部（第１持ち手Ｈ１を含む一部）が、自由端になる。
【００８２】
一方、バックライトユニット６２では、剥離シール４４が、第３持ち手Ｈ３を介して引っ張られることで、固定テープ４３から剥がされる（図１参照）。
【００８３】
そして、図３に示すように、以上の液晶表示パネル６１のアクティブマトリックス基板１１と、バックライトユニット６２の固定テープ４３とが近づき合って接着する。すなわち、液晶表示パネル６１の受光側とバックライトユニット６２の発光側とが近づくことで、バックライトユニット６２に液晶表示パネル６１が取り付けられる（取付工程と称する）。
【００８４】
ただし、図３に示すように、第１持ち手Ｈ１を含む裏側偏光板保護シート１４ａの一部分が、バックライトフレーム３１の開孔ＨＬから突き出る。すなわち、液晶表示装置６９の製造者は、裏側偏光板保護シート１４ａを開孔ＨＬから突き出すようにして、バックライトユニット６２に液晶表示パネル６１を取り付ける。
【００８５】
なお、このようにバックライトユニット６２に液晶表示パネル６１が取り付けられた状態をもって、液晶表示装置６９とする。そして、この液晶表示装置６９を断面で示した図が、図４（図３のＣ−Ｃ’線矢視断面図）になる。
【００８６】
図３および図４に示すように、開孔ＨＬから、発光ユニット保護シート４１と裏側偏光板保護シート１４ａとがともに突き出る。詳説すると、第１持ち手Ｈ１を含む裏側偏光板保護シート１４ａの一部分と、第２持ち手Ｈ２を含む発光ユニット保護シート４１の一部分とが、開孔ＨＬを通じて外部に突き出る。
【００８７】
このように、第１持ち手Ｈ１および第２持ち手Ｈ２がバックライトフレーム３１の外部に突き出ていると、図５に示すように、これら持ち手Ｈ１・Ｈ２が開孔ＨＬから引き出されることで、裏側偏光板保護シート１４ａおよび発光ユニット保護シート４１が、液晶表示パネル６１およびバックライトユニット６２から乖離する（保護部材乖離工程と称する）。
【００８８】
詳説すると、バックライトフレーム３１の開孔ＨＬから突き出る第１持ち手Ｈ１が引っ張られることで、裏側偏光板保護シート１４ａが、密着していた裏側偏光板１３ａから徐々に乖離する。
【００８９】
一方、同様に、バックライトフレーム３１の開孔ＨＬから突き出る第２持ち手Ｈ２が引っ張られることで、発光ユニット保護シート４１が、バックライトフレーム３１に貼り付いた粘着テープ４２から徐々に乖離し、第１段差部Ｇ１のみで支えられる状態になる。
【００９０】
なお、粘着テープ４２に接触する発光ユニット保護シート４１の部分は、ジグザグ状である（ジグザグ端ＺＫ）。そのため、粘着テープ４２と発光ユニット保護シート４１との接触面積は比較的狭い。その結果、発光ユニット保護シート４１は容易に粘着テープ４２から乖離する。
【００９１】
また、発光ユニット保護シート４１の第２持ち手Ｈ２は、粘着テープ４２に接触する発光ユニット保護シート４１の部分に対して、最も離れている。具体的には、発光ユニット保護シート４１の長手方向における両端の一方がジグザグ状であり、他方が第２持ち手Ｈ２である。そのため、第２持ち手Ｈ２が引っ張れる力は、効率よくジグザグ状の発光ユニット保護シート４１の部分に伝わる。そのため、発光ユニット保護シート４１はより容易に粘着テープ４２から乖離する。
【００９２】
そして、一層、第１持ち手Ｈ１および第２持ち手Ｈ２が引っ張られることで、図６に示すように、開孔ＨＬを通じ、裏側偏光板保護シート１４ａおよび発光ユニット保護シート４１が、液晶表示装置６９から取り除かれる。
【００９３】
そして、裏側偏光板保護シート１４ａおよび発光ユニット保護シート４１が通じていたバックライトフレーム３１の開孔ＨＬは、図７に示すように、封止部材ＳＳで塞がれる。なお、表側偏光板保護シート１４ｂは、必要な時期に応じて、表側偏光板１３ｂから乖離される。
【００９４】
以上のような液晶表示装置６９、およびその液晶表示装置６９の製造方法に関して、以下のようなことがいえる。
【００９５】
液晶表示パネル６１の受光側とバックライトユニット６２の発光側とが近づくことで、バックライトユニット６２に液晶表示パネル６１が取り付けられると、バックライトユニット６２の発光側と液晶表示パネル６１の受光側とが向かい合うことで、隙間が発生する。
【００９６】
そして、この隙間に接するバックライトユニット６２の発光側は、発光ユニット保護シート４１によって保護される。一方、かかる隙間に接する液晶表示パネル６１の受光側は、裏側偏光板保護シート１４ａによって保護される。具体的には、発光ユニット保護シート４１は、発光ユニット２９を保護し、裏側偏光板保護シート１４ａは液晶表示パネル６１の裏側偏光板１３ａを保護している。
【００９７】
すると、バックライトユニット６２に液晶表示パネル６１が取り付ける工程（取付工程）において、バックライトユニット６２の発光側に位置する発光ユニット２９（例えば、光学シート２４）が外部に露出しないだけでなく、液晶表示パネル６１の受光側に位置する裏側偏光板１３ａも外部に露出しない。
【００９８】
そのため、取付工程にて、塵や埃等の異物が、発光ユニット２９および裏側偏光板１３ａに付着することはなく、さらには、これら発光ユニット２９およびに裏側偏光板１３ａに、傷および打痕がつかない。すると、これら異物や傷等に起因していた液晶表示パネル６１上の不具合｛例えば、周囲画素に比べて明るい画素（輝点）、および、周囲画素に比べて暗い画素（黒点）｝が発生しない。
【００９９】
また、取付工程以外において、固定テープ４３および発光ユニット２９の両方を保護していた剥離シール４４がバックライトユニット６２から取り除かれたとしても、固定テープ４３の接着面は露出するものの、発光ユニット２９は発光ユニット保護シート４１で保護される。そのため、バックライトユニット６２単体としての取り扱いにおいても、発光ユニット２９に対し、異物や傷等がつきにくい。
【０１００】
また、液晶表示装置６９では、バックライトフレーム３１に、発光ユニット保護シート４１および裏側偏光板保護シート１４ａの一部を外部に突出させる開孔ＨＬが形成している。つまり、取付工程後の液晶表示装置６９では、開孔ＨＬを通じて、発光ユニット保護シート４１と裏側偏光板保護シート１４ａとが、開孔ＨＬを通じて、外部に突き出し可能になる。
【０１０１】
そして、開孔ＨＬから発光ユニット保護シート４１および裏側偏光板保護シート１４ａの一部（例えば、第２持ち手Ｈ２および第１持ち手Ｈ１）が突き出ていると、その部分を液晶表示装置６９の製造者は把持できる。そのため、製造者は、この把持部分を引っ張ることにより、発光ユニット保護シート４１および裏側偏光板保護シート１４ａを、バックライトユニット６２および液晶表示パネル６１（ひいては、液晶表示装置６９）から取り除ける。
【０１０２】
このようにして、発光ユニット保護シート４１および裏側偏光板保護シート１４ａが液晶表示装置６９から取り除かれる場合、露出する発光ユニット２９および裏側偏光板１３ａは、液晶表示装置６９の内部に位置する。そのため、この露出後の発光ユニット２９および裏側偏光板１３ａを、製造者は触れられない。したがって、傷等が露出後の発光ユニット２９および裏側偏光板１３ａに付かない。
【０１０３】
また、この露出後の発光ユニット２９と裏側偏光板１３ａとが向か合うことで、比較的狭い隙間が生じている。そして、この隙間を通じてしか、塵等は露出後の発光ユニット２９および裏側偏光板１３ａに到達し得ない。したがって、極めて塵等が発光ユニット２９および裏側偏光板１３ａに到達しにくい。
【０１０４】
なお、発光ユニット保護シート４１がバックライトユニット６２（詳説すると発光ユニット２９）から乖離するタイミングと、裏側偏光板保護シート１４ａが液晶表示パネル６１（詳説すると、裏側偏光板１３ａ）から乖離するタイミングとは、同時であってもよいし異なっていてもよい。
【０１０５】
ただし、異なったタイミングであれば、既に剥離した一方の保護シートによって保護されていた部材（例えば、発光ユニット２９）が、他方の保護シート（裏側偏光板保護シート１４ａ）によって傷つけられる。
【０１０６】
しかし、同時のタイミングであれば、このような事態は起きないので望ましいといえる。特に、図４示すように、裏側偏光板保護シート１４ａの中途点ＭＰと発光ユニット保護シート４１のジグザグ状の部分（ジグザグ端ＺＫ）とが、重なり方向Ｐにおいて対向（対応）していると望ましい。
【０１０７】
このようになっていると、裏側偏光板保護シート１４ａおよび発光ユニット保護シート４１が開孔ＨＬを通じて引っ張られる過程で、発光ユニット保護シート４１のジグザグ端ＺＫは、常に裏側偏光板保護シート１４ａに覆われる。そのため、かかるジグザグ端ＺＫが跳ね上がって裏側偏光板１３ａに接触したり、裏側偏光板保護シート１４ａが垂れ下がって発光ユニット２９に接触したりする事態が起きない。
【０１０８】
また、液晶表示装置６９では、発光ユニット保護シート４１および裏側偏光板保護シート１４ａが、開孔ＨＬを通じて、バックライトユニット６２および液晶表示パネル６１から乖離（除去）された後、その開孔ＨＬは、封止部材ＳＳにて塞がれている（図７参照）。そのため、開孔ＨＬを通じて、塵や埃等の異物が、液晶表示装置６９の内部に混入しない。
【０１０９】
［その他の実施の形態］
なお、本発明は上記の実施の形態に限定されず、本発明の趣旨を逸脱しない範囲で、種々の変更が可能である。
【０１１０】
例えば、裏側偏光板保護シート１４ａは、密着によって、裏側偏光板１３ａに取り付けられているがこれに限定されるものではない。つまり、裏側偏光板保護シート１４ａは、粘着材等によって、裏側偏光板１３ａに取り付けられていてもよい。要は、裏側偏光板保護シート１４ａが、取り外し可能に裏側偏光板１３ａに取り付けられていればよい。また、表側偏光板保護シート１４ｂも同様なことがいえる。
【図面の簡単な説明】
【０１１１】
【図１】は、液晶表示装置となる液晶表示パネルとバックライトユニットとを示す斜視図である。
【図２】は、裏側偏光板保護シートが曲げられた液晶表示パネルと、剥離シールを剥がされたバックライトユニットとを示す斜視図である。
【図３】は、剥離シールを剥がされたバックライトユニットに、裏側偏光板保護シートが曲げられた液晶表示パネルが取り付けられることで完成した液晶表示装置の斜視図である。
【図４】は、図３のＣ−Ｃ’線矢視断面図である。
【図５】は、図４の他の一例であり、裏側偏光板保護シートおよび剥離シールが剥がされる工程を示す断面図である。
【図６】は、図４および図５の他の一例であり、裏側偏光板保護シートおよび剥離シールが取り除かれた液晶表示装置を示す断面図である
【図７】は、バックライトフレームの開孔を封止部材で塞がれた液晶表示装置を示す斜視図である。
【図８】は、液晶表示パネルの分解斜視図である。
【図９】は、液晶表示パネルの表示面側からみた平面と側面とを示す２面図である。
【図１０】は、液晶表示パネルの非表示面側からみた平面と側面とを示す２面図である。
【図１１】は、バックライトユニットの分解斜視図である。
【図１２】は、バックライトユニットの発光側からみた平面、長手断面（平面におけるＡ−Ａ’線矢視断面図）、および短手断面（平面におけるＢ−Ｂ’線矢視断面）を示す３面図である。
【図１３】は、図１２での部分αの拡大平面図である。
【図１４】は、従来の液晶表示パネルの分解斜視図である。
【図１５】は、従来のバックライトユニットの分解斜視図である。
【図１６】は、従来の液晶表示パネルおよびバックライトユニットを示す斜視図である。
【図１７】は、従来の液晶表示装置の製造過程の一工程を示す斜視図である。
【図１８】は、完成した従来の液晶表示装置を示す斜視図である。
【符号の説明】
【０１１２】
１１    アクティブマトリックス基板
１２    対向基板
１３    偏光板
１３ａ  裏側偏光板（第１偏光部材）
１３ｂ  表側偏光板
１４    偏光板保護シート
１４ａ  裏側偏光板保護シート（受光側保護部材）
１４ｂ  表側偏光板保護シート
２１    導光板
２２    反射シート
２３    拡散シート
２４    光学シート
２９    発光ユニット
３１    バックライトフレーム
３２    バックライトフレームの底面
３３    バックライトフレームの開放面
ＨＬ    バックライトフレームに形成される開孔
４１    発光ユニット保護シート（発光側保護部材）
ＺＫ    発光ユニット保護シートの端部でジグザグ状の部分
４２    粘着テープ（粘着材）
４３    固定テープ
４４    剥離シール
ＳＳ    封止部材
６１    液晶表示パネル
６２    バックライトユニット
６９    液晶表示装置
Ｄ１    短手方向（第１方向）
Ｄ２    長手方向（第２方向）
Ｐ    重なり方向
【図１】
2009003245.tif 000003
【図２】
2009003245.tif 000004
【図３】
2009003245.tif 000005
【図４】
2009003245.tif 000006
【図５】
2009003245.tif 000007
【図６】
2009003245.tif 000008
【図７】
2009003245.tif 000009
【図８】
2009003245.tif 000010
【図９】
2009003245.tif 000011
【図１０】
2009003245.tif 000012
【図１１】
2009003245.tif 000013
【図１２】
2009003245.tif 000014
【図１３】
2009003245.tif 000015
【図１４】
2009003245.tif 000016
【図１５】
2009003245.tif 000017
【図１６】
2009003245.tif 000018
【図１７】
2009003245.tif 000019
【図１８】
2009003245.tif 000020